(57)【要約】【課題】食品の一部を残しつつ、他の部分を容易に切ることができるまな板を提供する。【解決手段】  食品が置かれる表面１１を備えるまな板１０であって、表面１１は、底表面２２ａが平坦に形成された溝部１２と、溝部１２を挟むように隣接し底表面２２ａよりも高い位置に隣接表面２４Ａ、２４Ｂを有する非溝エリア１４Ａ、１４Ｂと、を有する。【選択図】図１
2019205539.tif 000002
【特許請求の範囲】
【請求項１】
食品が置かれる表面を備えるまな板であって、
前記表面は、底表面が平坦に形成された溝部と、前記溝部を挟むように隣接し前記底表面よりも高い位置に隣接表面を有する非溝エリアと、を有する、まな板。
【請求項２】
前記溝部は、前記表面の長手方向に沿って形成されている、請求項１に記載のまな板。
【請求項３】
前記溝部は、前記表面の略中央部に形成されている、請求項１又は２に記載のまな板。
【請求項４】
前記表面は、前記溝部及び前記非溝エリアによって、ほぼ三等分されている、請求項３に記載のまな板。
【請求項５】
前記溝部の深さは、０．３ｍｍである、請求項１から４のいずれか一項に記載のまな板。
【発明の詳細な説明】
【技術分野】
【０００１】
本発明は、まな板に関する。
【背景技術】
【０００２】
通常、食品をまな板の表面に置き、包丁等の刃物を用いて食品を切る。特許文献１に記載されているように、まな板の表面は平坦に形成されている。
【０００３】
食品の調理方法によっては、食品を完全に切断することなく食品の一部（例えば、食品の表面付近等）を残しつつ他の部分のみを切ることがある。この場合、包丁の刃先を食品に入れてから、刃先がまな板表面に触れる前に食品に対する刃先の進入を止める必要がある。例えば、魚の鱧を調理する場合においては、表面の皮を残しつつ、骨を細かく切る「骨切り」という処理が行われる。骨切りは、鱧の骨に刃先を入れてから、刃先が皮に到達する前に刃先の進入を止めることにより行われる。
【先行技術文献】
【特許文献】
【０００４】
【特許文献１】特開２０１５−２９０９号公報
【発明の概要】
【発明が解決しようとする課題】
【０００５】
しかしながら、食品を完全に切断しないように刃先の位置をコントロールすることは大変である。特に、鱧の骨切りは、職人でも一人前になるには１０年かかると言われるほど、高度な技術力が必要であり、容易に行うことができなかった。
【０００６】
そこで、本発明は、熟練の技術を調理者に要求することなく、食品の一部を残しつつ他の部分を容易に切ることができるまな板を提供することを目的とする。
【課題を解決するための手段】
【０００７】
本発明の一態様に係るまな板は、食品が置かれる表面を備えるまな板であって、表面は、底表面が平坦に形成された溝部と、溝部を挟むように隣接し底表面よりも高い位置に隣接表面を有する非溝エリアと、を有する。
【０００８】
この態様によれば、食品を包丁で切る際、食品を溝部に置いてこれを挟むようにして包丁の刃先を非溝エリアに向けておろすと、まな板の表面のうち、非溝エリアのところには包丁の刃先が接触するが、溝部のところでは刃先が溝部の底表面まで到達せず接触しない。すなわち、溝部の底表面と非溝エリアの隣接表面との間の高さの分だけ、溝部上の食品は切断されないことになる。これにより、調理者が刃先の位置を慎重にコントロールしなくとも、食品の一部を残しつつ、他の部分を容易に切ることができる。
【０００９】
溝部は、表面の長手方向に沿って形成されているとよい。これにより、切断せずに残す食品の部分をまな板上で長くとることができるため、長い食品を調理するのに便利となる。
【００１０】
溝部は、表面の略中央部に形成されているとよい。この態様によれば、包丁の刃先のうち切っ先に近い先端部分及び刃元に近い根本部分が接触する部分をまな板の表面上に比較的広く確保することができる。そのため、安定した状態で食品を切ることができる。とりわけ、食品をまな板の真ん中に置いて切るという一般的な調理の仕様の観点からすると、まな板の表面は、溝部及び非溝エリアによって、ほぼ三等分されているとよい。これにより、本発明のまな板を通常のまな板と同じような仕様にさせ得るので、利用者に違和感なく本発明のまな板を使用させることができる。
【００１１】
溝部の深さは、０．３ｍｍであるとよい。この態様によれば、魚、とりわけ鱧を溝部に載置して調理する場合に、容易に骨切りを行うことができる。
【発明の効果】
【００１２】
本発明のまな板によれば、熟練の技術を調理者に要求することなく、食品の一部を残しつつ他の部分を容易に切ることができる。
【図面の簡単な説明】
【００１３】
【図１】実施形態に係るまな板を示す斜視図である。
【図２】図１に示すＩＩ−ＩＩ線で切断した断面図である。
【図３】図２の断面図において、まな板の溝部に食品を置いて包丁で切ったときの様子を追加した断面図である。
【発明を実施するための形態】
【００１４】
添付図面を参照して、本発明の実施形態について説明する。なお、各図において、同一の符号を付したものは、同一又は同様の構成を有する。
【００１５】
図１に示すように、まな板１０は、全体が板状に形成されており、食品が置かれる表面１１を備えている。表面１１は、平面視、長方形状に形成されている。まな板１０の角部及び辺部は、面取りされていてもよい。まな板１０は、合成樹脂、金属または木材で形成することができ、表面１１には細菌の繁殖を防止するための抗菌加工が施されていてもよい。
【００１６】
表面１１は、溝部１２及び非溝エリア１４Ａ、１４Ｂから構成されている。非溝エリア１４Ａ、１４Ｂは、溝部１２を挟むようにして、溝部１２の両側に隣接している。溝部１２及び非溝エリア１４Ａ、１４Ｂは、表面１１の長手方向に沿って延在している。溝部１２は、表面１１の略中央部に形成された凹部であり、表面１１の長手方向おける一端から他端に亘って形成されている。溝部１２は、例えば、平坦に形成した表面１１の一部を長手方向に沿って切削することにより形成される。他の方法では、例えば、厚さの異なる板状部材を横並びに接続することにより溝部１２を形成してもよい。
【００１７】
非溝エリア１４Ａ、１４Ｂは、それぞれ、溝部１２の短手方向の一方側と他方側とに位置している。非溝エリア１４Ａ、１４Ｂは、溝部１２の底表面２２ａよりも高い位置にそれぞれ隣接表面２４Ａ、２４Ｂを有する。底表面２２ａ及び隣接表面２４Ａ、２４Ｂは、平坦な面となっている。隣接表面２４Ａ、２４Ｂは、溝部１２に置かれた食品を包丁で切ったときに、包丁の刃先が接触する面となる。
【００１８】
ここで、まな板１０を用いて食品を切る場合、まず、食品を溝部１２の底表面２２ａに置く。その後、刃先がまな板１０の短手方向と沿うように包丁を位置させて食品に刃先を入れる。すると、包丁の刃先のうち切っ先に近い先端部分及び刃元に近い根本部分が隣接表面２４Ａ、２４Ｂに接触する。他方、刃先のうち先端部分と根本部分との間に位置する中央部分（底表面２２ａと対向する部分）については、底表面２２ａに接触しないため、刃先と底表面２２ａとの間に隙間が生じる。したがって、この隙間に位置する食品の部分については包丁によって切られずに残ることとなる。
【００１９】
図２に示すように、溝部１２では、その短手方向における両端に底表面２２ａと隣接表面２４Ａ、２４Ｂとをつなぐ側壁２２ｂ、２２ｂが形成されている。側壁２２ｂは、溝部１２の深さに相当する高さＤを有する。上述のように、まな板１０に置いた食品を切る際、溝部１２の内部、すなわち、底表面２２ａから高さＤ以下に位置する食品部分は包丁により切られることなく残る。そのため、溝部１２の高さＤの大きさは、切らずに残したい食品部分の厚さに設定することができる。例えば、食品が鱧である場合、骨切りに適した溝部１２の高さＤは０．２５ｍｍ〜０．３５ｍｍであり、その中でも特に０．３ｍｍが最適である。
【００２０】
溝部１２は、短手方向に沿った幅Ｗ１を有する。また、非溝エリア１４Ａ、１４Ｂは、短手方向に沿った幅Ｗ２、Ｗ３をそれぞれ有している。幅Ｗ１、Ｗ２及びＷ３は、ほぼ等しい大きさである。そのため、まな板１０の表面１１は、溝部１２及び非溝エリア１４Ａ、１４Ｂによって、ほぼ三等分されている。
【００２１】
図３を用いて包丁Ｎで食品Ｆを切る様子を具体的に説明する。食品Ｆを溝部１２の底表面２２ａに置く際に、食品Ｆのうち切らずに残したい部分Ｆ１を底表面２２ａ側に向けておく。この状態で食品Ｆを切る場合、まず、包丁Ｎの刃先は、食品Ｆの上側から侵入し、食品Ｆの下側に向かって移動する。その後、包丁Ｎの刃先のうち切っ先に近い先端部分及び刃元に近い根本部分がそれぞれ非溝エリア１４Ａ、１４Ｂの隣接表面２４Ａ、２４Ｂに接触する。刃先が隣接表面２４Ａ、２４Ｂに接触した時点で、包丁Ｎの移動は停止する。この時点において、包丁Ｎの刃先の中央部分と底表面２２ａとの間には、溝部１２の高さＤに相当する隙間３０が存在しているので、食品Ｆのうち、隙間３０に位置する部分Ｆ１は、包丁Ｎによって切られず残ったままである。他方、食品Ｆのうち隣接表面２４Ａ、２４Ｂより高い位置にある部分Ｆ２は、包丁により切断済みとなっている。
【００２２】
このように、本実施形態のまな板１０によれば、隣接表面２４Ａ、２４Ｂが包丁Ｎのストッパーとして機能するため、調理者が包丁Ｎに対して上側から力を加えた場合であっても、包丁Ｎの刃先は隣接表面２４Ａ、２４Ｂの高さ位置より下側に移動しない。そのため、調理者は繊細な力加減の調整を行うことなく、食品の一部Ｆ１を残しつつ、他の部分Ｆ２を容易に切ることができる。したがって、熟練の技術がなくとも、鱧の骨切りなどを簡単に行うことができる。
【００２３】
また、溝部１２は、表面１１の長手方向に沿って形成されているため、切断せずに残す食品の部分をまな板１０上で長くとることができ、長い食品を調理するのに便利である。さらに、まな板１０の表面１１は、溝部１２及び非溝エリア１４Ａ、１４Ｂによってほぼ三等分され、溝部１２は、表面１１の略中央部に形成されている。そのため、包丁Ｎの刃先のうち切っ先に近い先端部分及び刃元に近い根本部分が接触する部分をまな板１０の表面１１上に比較的広く確保することができ、安定した状態で食品Ｆを切ることができる。また、食品をまな板１０の真ん中に置いて切ることができるので、調理者に対して、通常のまな板と同じような仕様でまな板１０を使用させることができる。
【００２４】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【００２５】
例えば、まな板１０の形状は上記形状に限られない。例えば、表面１１は、面視正方形状や円形状であってもよい。また、溝部１２は、表面１１の短手方向に沿って形成されてもよいし、表面１１の一端から他端に亘る長さで形成されなくてもよい。さらに、溝部１２は、まな板１０の両面に形成されてもよい。この場合、両面の溝部の深さをそれぞれ異ならせてもよい。そうすることで、食品の種類に合わせた適切な深さの溝部を選択して食品を切ることができる。
【符号の説明】
【００２６】
１０…まな板、１１…表面、１２…溝部、１４Ａ…非溝エリア、１４Ｂ…非溝エリア、２２ａ…底表面、２２ｂ…側壁、２４Ａ…隣接表面、２４Ｂ…隣接表面、３０…隙間
【図１】
2019205539.tif 000003
【図２】
2019205539.tif 000004
【図３】
2019205539.tif 000005